(57)【特許請求の範囲】
【請求項１】
売場に適した複数の情報を売場別にグループ化して記憶する第１の記憶部と、
売上商品に係る商品情報を処理する商品データ処理装置を識別する識別情報と、前記グループを特定するグループ識別情報とを対応させて記憶する第２の記憶部と、
情報を入力する入力部と、
前記商品データ処理装置を識別する識別情報を前記入力部から入力された識別情報に変更するよう前記商品データ処理装置に指示する指示手段と、
前記指示手段による変更指示に基づく前記商品データ処理装置からの応答として、前記商品データ処理装置において識別情報が変更されたとの情報を受信したことを判断した場合、前記変更指示された前記識別情報に対応するグループ識別情報を前記第２の記憶部から読み出す読み出し手段と、
前記読み出し手段によって読み出された前記グループ識別情報が付されてグループ化されている複数の情報を、前記第１の記憶部から読み出して前記商品データ処理装置に送信する送信手段と、
を備えた情報処理装置。
【請求項２】
表示部を備え、前記入力部は、前記表示部に変更前の識別情報と変更する識別情報がそれぞれ選択的に入力可能に表示された変更画面である、
請求項１に記載の情報処理装置。
【請求項３】
前記入力部から入力された変更する前記識別情報が、前記指示手段で変更を指示する前記商品データ処理装置に予め記憶されているかを判断する判断手段、
を備えた請求項１または２に記載の情報処理装置。
【請求項４】
売場に適した複数の情報を売場別にグループ化して記憶する第１の記憶部と、売上商品に係る商品情報を処理する商品データ処理装置を識別する識別情報と前記グループを特定するグループ識別情報とを対応させて記憶する第２の記憶部と、情報を入力する入力部と、を備えたコンピュータを、
前記商品データ処理装置を識別する識別情報を前記入力部から入力された識別情報に変更するよう前記商品データ処理装置に指示する指示手段と、
前記指示手段による変更指示に基づく前記商品データ処理装置からの応答として、前記商品データ処理装置において識別情報が変更されたとの情報を受信したことを判断した場合、前記変更指示された前記識別情報に対応するグループ識別情報を前記第２の記憶部から読み出す読み出し手段と、
前記読み出し手段によって読み出された前記グループ識別情報が付されてグループ化されている複数の情報を、前記第１の記憶部から読み出して前記商品データ処理装置に送信する送信手段と、
して機能させるためのプログラム。
【発明の詳細な説明】
【技術分野】
【０００１】
本発明の実施の形態は、情報処理装置、およびプログラムに関する。
【背景技術】
【０００２】
ＰＯＳ（Point  of  Sales）端末やＥＣＲ（Electronic  Cash  Register）に代表される商品データ処理装置は、例えば商品に付されたバーコードを読み取って商品情報を取得し、この商品情報に基づいて商品情報のデータ処理を実行して、顧客が購入する商品の処理を実行し、締め処理に基づいてプリンタでレシート用紙に商品情報や合計金額等を印字してレシートとして発行するものである。
一方、情報処理装置であるＳＣ（Store  Computer）は、この商品データ処理装置とＬＡＮ（Local  Area  Network）回線で接続されており、商品データ処理装置から売上データを取得するとともに、商品データ処理装置に対して種々の機能設定を実行する。
【発明の概要】
【発明が解決しようとする課題】
【０００３】
ところで、このような商品データ処理装置は、店舗の都合で設置場所を移動することがある。しかしながら、例えば食品売場に設置されていた商品データ処理装置はＳＣから食品売場用の機能設定をされているため、この商品データ処理装置を衣料売場に移動して再設置する場合、ＳＣから衣料用の機能を改めて設定する必要があるが、この設定の作業はシステムエンジニア等が対応しなければならない。
【課題を解決するための手段】
【０００５】
本実施の形態の情報処理装置は、売場に適した複数の情報を売場別にグループ化して記憶する第１の記憶部と、売上商品に係る商品情報を処理する商品データ処理装置を識別する識別情報と、前記グループを特定するグループ識別情報とを対応させて記憶する第２の記憶部と、情報を入力する入力部と、前記商品データ処理装置を識別する識別情報を前記入力部から入力された識別情報に変更するよう前記商品データ処理装置に指示する指示手段と、前記指示手段による変更指示に基づく前記商品データ処理装置からの応答として、前記商品データ処理装置において識別情報が変更されたとの情報を受信したことを判断した場合、前記変更指示された前記識別情報に対応するグループ識別情報を前記第２の記憶部から読み出す読み出し手段と、前記読み出し手段によって読み出された前記グループ識別情報が付されてグループ化されている複数の情報を、前記第１の記憶部から読み出して前記商品データ処理装置に送信する送信手段と、を備える。
【０００６】
本実施の形態のプログラムは、売場に適した複数の情報を売場別にグループ化して記憶する第１の記憶部と、売上商品に係る商品情報を処理する商品データ処理装置を識別する識別情報と前記グループを特定するグループ識別情報とを対応させて記憶する第２の記憶部と、情報を入力する入力部と、を備えたコンピュータを、前記商品データ処理装置を識別する識別情報を前記入力部から入力された識別情報に変更するよう前記商品データ処理装置に指示する指示手段と、前記指示手段による変更指示に基づく前記商品データ処理装置からの応答として、前記商品データ処理装置において識別情報が変更されたとの情報を受信したことを判断した場合、前記変更指示された前記識別情報に対応するグループ識別情報を前記第２の記憶部から読み出す読み出し手段と、前記読み出し手段によって読み出された前記グループ識別情報が付されてグループ化されている複数の情報を、前記第１の記憶部から読み出して前記商品データ処理装置に送信する送信手段と、して機能させる。
【図面の簡単な説明】
【０００７】
【図１】図１は、本実施の形態のシステム図である。
【図２】図２は、本実施の形態の情報処理装置のブロック図である。
【図３】図３は、本実施の形態の情報処理装置のメモリマップを示す模式図である。
【図４】図４は、本実施の形態の情報処理装置の詳細なメモリマップを示す模式図である。
【図５】図５は、本実施の形態の情報処理装置のさらに別の詳細なメモリマップを示す模式図である。
【図６】図６は、本実施の形態の情報処理装置のさらに別の詳細なメモリマップを示す模式図である。
【図７】図７は、本実施の形態の情報処理装置の機能ブロック図である。
【図８】図８は、本実施の形態の情報処理装置の関連装置である商品データ処理装置のブロック図である。
【図９】図９は、本実施の形態の情報処理装置の処理および関連装置である商品データ処理装置の処理を示すフローチャートである。
【図１０】図１０は、本実施の形態の情報処理装置の表示画面の一例を示す図である。
【発明を実施するための形態】
【０００８】
以下、図１から図１０を参照して、本実施の形態に係る情報処理装置等について詳細に説明する。なお、本実施の形態では情報処理装置の一例としてＳＣについて説明する。また情報処理装置の関連装置として商品データ処理装置の一例であるＰＯＳ端末について説明する。以下に説明する実施の形態によりこの発明が限定されるものではない。
【０００９】
図１は、本実施の形態のシステム図である。図１において、店舗の売上を総括するＳＣ（Store  Computer）２には、ＬＡＮ（Local  Area  Network）回線３を介して複数台（本実施の形態では５台）のＰＯＳ端末１が接続されている。ＰＯＳ端末１は、店舗で販売される商品の商品情報を読み取ってデータ処理し、商品データを取得する。そして、ＰＯＳ端末１からＬＡＮ回線３を介して商品データに基づく例えば売上データや合計金額等のデータをＳＣ２に送信する。ＳＣ２は、図示しないホストコンピュータに対してＰＯＳ端末１から送信された売上データや合計金額等を送信するとともに、ホストコンピュータから送信される各種の設定プログラムやデータをＰＯＳ端末１に送信する。
【００１０】
本実施の形態では、ＰＯＳ端末１は例えば食品売り場４に３台設置されており、この３台のＰＯＳ端末１には１台ずつ固有のＩＰアドレスが付されている（ＩＰアドレス１〜３）。これら３台のＰＯＳ端末１は、各ＩＰアドレスに対応してそれぞれ２種類のＰＯＳ端末番号が装置を識別する識別情報として付されて記憶している（詳細は図４で後述する）。また、衣料売り場５に２台が設置されており、この２台のＰＯＳ端末１にも１台ずつ固有のＩＰアドレスが付されている（ＩＰアドレス４、５）。これら２台のＰＯＳ端末１は、各ＩＰアドレスに対応してそれぞれ２種類のＰＯＳ端末番号が装置を識別する識別情報として付されて記憶している（詳細は図４で後述する）。
【００１１】
食品売り場４に設置された３台のＰＯＳ端末１には、食品売り場４に適した複数の情報（以降「食品パラメータ」という）がＳＣ２から設定されている。食品パラメータとは、例えば、食品売り場４用にレイアウトされたキーボード情報や、食品売り場４用にレイアウトされたレシート情報や、食品売り場４に適したメッセージ情報等である。このような情報の設定により、食品売り場４に設置されたＰＯＳ端末１では、食品売り場４に適したキー配列のタッチキーボードが表示され、食品売り場４に適したレシートが発行され、食品売り場４に適したメッセージが表示される。
【００１２】
また、衣料売り場５に設置された２台のＰＯＳ端末１には、衣料売り場５に適した複数の情報（以降「衣料パラメータ」という）がＳＣ２から設定されている。衣料パラメータとは、例えば、衣料売り場５用にレイアウトされたキーボード情報や、衣料売り場５用にレイアウトされたレシート情報や、衣料売り場５に適したメッセージ情報等である。このような情報の設定により、衣料売り場５に設置されたＰＯＳ端末１では、衣料売り場５に適したキー配列のタッチキーボードが表示され、衣料売り場５に適したレシートが発行され、衣料売り場５に適したメッセージが表示される。
その他、例えば、商品マスタ情報やポイント情報も食品売り場４と衣料売り場５とでそれぞれ適した情報が設定される。
【００１３】
図２〜図６は、本実施の形態の情報処理装置であるＳＣ２のハードウェア構成を説明するで図あり、図２はブロック図である。図２において、ＳＣ２は、制御主体となるＣＰＵ（Central  Processing  Unit）２１、各種プログラムを記憶するＲＯＭ（Read  Only  Memory）２２、各種データを展開するＲＡＭ（Random  Access  Memory）２３、各種プログラムおよびデータを記憶するハードディスクからなるメモリ部２４等を備えている。ＣＰＵ２１、ＲＯＭ２２、ＲＡＭ２３、メモリ部２４は、互いにデータバス４１を介して接続されている。ＣＰＵ２１とＲＯＭ２２とＲＡＭ２３とメモリ部２４が制御部１００を構成する。すなわち、制御部１００は、ＣＰＵ２１がＲＯＭ２２またはメモリ部２４に記憶されＲＡＭ２３に展開したプログラムや情報に従って動作することによって、後述する制御処理を実行する。
【００１４】
また、データバス４１には、キーボード３１、表示器３３が、それぞれキーボードコントローラ３２、ディスプレイコントローラ３４を介して接続されている。さらに、データバス４１には、ＬＡＮＩ／Ｆ３６を介して外部のＬＡＮ回線３に接続されており、このＬＡＮ回線３によって各ＰＯＳ端末１と接続されている。
図３は、ＲＡＭ２３のメモリマップを示す模式図であり、ＰＯＳ端末番号記憶部４２、グループ記憶部４３、パラメータ記憶部４４を備えている。
【００１５】
図４〜図６は、図３のメモリマップを詳細に示した図である。図４はＰＯＳ端末番号記憶部４２を詳細に示す図であり、各ＰＯＳ端末１に付されたＩＰアドレスに対応して記憶されているＰＯＳ端末番号を示す。本実施の形態では、各ＰＯＳ端末１にそれぞれ固有のＩＰアドレスが付されている。食品売り場４に設置された３台のＰＯＳ端末１には、ＩＰアドレス１〜ＩＰアドレス３が付されており、衣料売り場５に設置された２台のＰＯＳ端末１には、ＩＰアドレス４、５が付されている。ＩＰアドレス１のＰＯＳ端末１には、ＰＯＳ端末番号１とＰＯＳ端末番号６が装置を識別する識別情報として記憶されており、以下同様に、ＩＰアドレス２のＰＯＳ端末１にはＰＯＳ端末番号２とＰＯＳ端末番号７が、ＩＰアドレス３のＰＯＳ端末１にはＰＯＳ端末番号３とＰＯＳ端末番号８が、ＩＰアドレス４のＰＯＳ端末１にはＰＯＳ端末番号４とＰＯＳ端末番号９が、ＩＰアドレス５のＰＯＳ端末１にはＰＯＳ端末番号５とＰＯＳ端末番号１０がそれぞれ装置を識別する識別情報として記憶されている。
【００１６】
次に図５はグループ記憶部４３を詳細に示す図であり、ＰＯＳ端末番号１〜１０に対応して記憶されているグループを示す。ＰＯＳ端末番号１〜１０に対応して、グループ識別情報であるグループ１かグループ２のいずれかのグループ情報がそれぞれ記憶されている。ＰＯＳ端末番号１にはグループ１が対応して記憶されており、以下同様に、ＰＯＳ端末番号２にはグループ１が、ＰＯＳ端末番号３にはグループ１が、ＰＯＳ端末番号４にはグループ２が、ＰＯＳ端末番号５にはグループ２が、ＰＯＳ端末番号６にはグループ２が、ＰＯＳ端末番号７にはグループ２が、ＰＯＳ端末番号８にはグループ２が、ＰＯＳ端末番号９にはグループ１が、ＰＯＳ端末番号１０にはグループ１が、それぞれ対応して記憶されている。
【００１７】
図６はパラメータ記憶部４４を詳細に示す図であり、各グループに対応してパラメータが記憶されていることを示す。グループ１に対応して、食品グループの食品パラメータが記憶されており、グループ２に対応して、衣料グループの衣料パラメータが記憶されていることを示す。
【００１８】
食品売り場４に設置されたＰＯＳ端末１にはＩＰアドレスに対応して食品パラメータに対応したグループ１を示すＰＯＳ端末番号がオンに設定されている。例えばＩＰアドレス１のＰＯＳ端末１は、記憶されているＰＯＳ端末番号１とＰＯＳ端末番号６のうち、グループ１に対応したＰＯＳ端末番号１がオンに設定されており、ＰＯＳ端末番号６はオフに設定されている。同様に、ＩＰアドレス２のＰＯＳ端末１には、ＰＯＳ端末番号２がオンに設定されており、ＰＯＳ端末番号７がオフに設定されている。ＩＰアドレス３のＰＯＳ端末１には、ＰＯＳ端末番号３がそれぞれオンに設定されており、ＰＯＳ端末番号８がオフに設定されている。また、衣料売り場５に設置されたＰＯＳ端末１にはＩＰアドレスに対応して衣料パラメータに対応したグループ２を示すＰＯＳ端末番号がオンに設定されている。例えばＩＰアドレス４のＰＯＳ端末１は、記憶されているＰＯＳ端末番号４とＰＯＳ端末番号９のうち、グループ２に対応したＰＯＳ端末番号４がオンに設定されており、ＰＯＳ端末番号９がオフに設定されている。同様に、ＩＰアドレス５のＰＯＳ端末１にはＰＯＳ端末番号５がオンに設定されており、ＰＯＳ端末番号１０がオフに設定されている。
【００１９】
次に、図７を用いてＳＣ２の機能ブロック図を説明する。図７において、データ処理装置である制御部１００がＲＯＭ２２またはメモリ部２４に記憶された各種プログラムに従うことで、読み出し手段１０１、送信手段１０２、指示手段１０３、判断手段１０４を機能させる。
【００２０】
読み出し手段１０１は、指示手段１０３による変更指示に基づく商品データ処理装置からの応答として商品データ処理装置において識別情報が変更されたとの情報を受信したことを判断した場合、変更指示された識別情報に対応するグループ識別情報を第２の記憶部から読み出す機能を備えている。送信手段１０２は、読み出し手段１０１によって読み出されたグループ識別情報が付されてグループ化されている複数の情報を第１の記憶部から読み出して商品データ処理装置に送信する機能を備えている。指示手段１０３は、入力部から入力された識別情報を変更するよう商品データ処理装置に指示する機能を備えている。判断手段１０４は、入力部から入力された変更する識別情報が指示手段１０３で変更を指示する商品データ処理装置に予め記憶されているかを判断する機能を備えている。
【００２１】
図８は本実施の形態のＰＯＳ端末１のハードウェアの電気的接続を示すブロック図である。図８において、ＰＯＳ端末１は、制御主体となるＣＰＵ（Central  Processing  Unit）５１、各種プログラムを記憶するＲＯＭ（Read  Only  Memory）５２、各種データを展開するＲＡＭ（Random  Access  Memory）５３、各種プログラムおよびデータを記憶するハードディスクからなるメモリ部５４等を備えている。ＣＰＵ５１、ＲＯＭ５２、ＲＡＭ５３、メモリ部５４は、互いにデータバス８１を介して接続されている。ＣＰＵ５１とＲＯＭ５２とＲＡＭ５３とメモリ部５４が制御部２００を構成する。すなわち、制御部２００は、ＣＰＵ５１がＲＯＭ５２またはメモリ部５４に記憶されＲＡＭ５３に展開したプログラムや情報に従って動作することによって、後述する制御処理を実行する。
【００２２】
また、データバス８１には、キーボード５５、表示器５７、プリンタ５８、バーコードリーダ５９が、それぞれキーボードコントローラ６１、ディスプレイコントローラ６２、プリンタコントローラ６３、バーコードリーダコントローラ６４を介して接続されている。さらに、データバス８１には、貨幣を収納するための図示しないドロワを開放するドロワ開放装置７１がドロワＩ／Ｆ７３を介して接続されている。また、データバス８１はデータの受信部の機能を備えたＬＡＮＩ／Ｆ７４を介してＬＡＮ回線３に接続されており、このＬＡＮ回線３によって他のＰＯＳ端末１やＳＣ２と接続されている。したがって、ＳＣ２や他のＰＯＳ端末１からの情報はＬＡＮ回線３を介してＬＡＮＩ／Ｆ７４で受信する。
【００２３】
次に、図９のフローチャートを用いて、ＳＣ２とＰＯＳ端末１における制御処理の概要について説明する。ＳＣ２の制御部１００とＰＯＳ端末１の制御部２００が以下の制御を実行する。
【００２４】
図９において、まずＰＯＳ端末１の処理について説明する。制御部２００は、ＰＯＳ端末１において、当該ＰＯＳ端末１の移動要求が実行されたかを判断する（ステップＳＰ１１）。この判断は、例えば食品売り場４から衣料売り場５に移動させたいＰＯＳ端末１の移動要求コマンドを実行させることで行う。そして制御部２００は、ＰＯＳ端末１の移動要求が実行されたと判断した場合は（ステップＳＰ１１のＹｅｓ）、当該ＰＯＳ端末１の移動要求情報をＳＣ２に送信する（ステップＳＰ１２）。この移動要求情報とは、当該ＰＯＳ端末１の移動要求情報と、当該ＰＯＳ端末１の元の売り場と移動する売り場の情報と、当該ＰＯＳ端末１のＩＰアドレス等である。制御部２００は、ＰＯＳ端末１の移動要求が実行されたと判断しない場合は（ステップＳＰ１１のＮｏ）、そのまま処理を終了する。
【００２５】
次に制御部２００は、ＰＯＳ端末１に設定されている旧ＰＯＳ端末番号をオフする要求と新しいＰＯＳ端末番号をオンするＳＣ２からの要求を、ＬＡＮＩ／Ｆ７４が受信したかを判断する（ステップＳＰ１３）。制御部２００は、受信するまで待機し（ステップＳＰ１３のＮｏ）、受信したと判断した場合は（ステップＳＰ１３のＹｅｓ）、制御部２００は、ＰＯＳ端末１に設定されている旧ＰＯＳ端末番号をオフに切り替え、新しいＰＯＳ端末番号をオンに切り換える（ステップＳＰ１４）。例えばＩＰアドレス１のＰＯＳ端末１には、ＰＯＳ端末番号１とＰＯＳ端末番号６とが記憶されており、当該ＰＯＳ端末１は食品売り場４に設置されているため、ＰＯＳ端末番号１がオンに設定されている。このＩＰアドレス１のＰＯＳ端末１の場合、ステップＳＰ１４において、ＰＯＳ端末番号１がオフとされ、ＰＯＳ端末番号６がオンに設定される。そして次に制御部２００は、設定完了の情報をＳＣ２に送信する（ステップＳＰ１５）。
【００２６】
次に制御部２００は、ＳＣ２からパラメータを受信したかを判断する（ステップＳＰ１６）。このパラメータは食料パラメータか衣料パラメータであり、例えばＩＰアドレス１のＰＯＳ端末１を食品売り場４から衣料売り場５に移動させる場合、衣料パラメータを受信する。制御部２００は、パラメータを受信するまで待機し（ステップＳＰ１６のＮｏ）、受信したら（ステップＳＰ１６のＹｅｓ）、この受信したパラメータをＰＯＳ端末１に設定する（ステップＳＰ１７）。例えばＩＰアドレス１のＰＯＳ端末１の場合、衣料パラメータを受信したので、衣料売り場５用にレイアウトされたキーボード情報や、衣料売り場５用にレイアウトされたレシート情報や、衣料売り場５用のメッセージ情報等の衣料売り場５に適した複数の情報を設定する。このとき、今まで旧パラメータにより設定されていた食品売り場４に適した複数の情報は消去される。そして、制御部２００は、パラメータの設定完了信号をＳＣ２に送信して（ステップＳＰ１８）処理を終了する。
【００２７】
次にＳＣ２の処理について説明する。ＰＯＳ端末１から移動要求情報を受信したかを判断する（ステップＳＰ２１）。この判断は、ステップＳＰ１２でＰＯＳ端末１から移動要求情報がＳＣ２のＬＡＮＩ／Ｆ３６で受信したか、でされる。移動要求情報を受信したと判断した場合（ステップＳＰ２１のＹｅｓ）、制御部１００は、表示器３３にＰＯＳ端末１の移動画面を表示する（ステップＳＰ２２）。ＩＰアドレス１のＰＯＳ端末１から移動要求があった場合の移動画面を図１０に示す。図１０において、入力部９１から旧（現在）のＰＯＳ端末番号を入力する（この入力はプルダウン操作で行う）。ＩＰアドレス１のＰＯＳ端末１の場合、ＰＯＳ端末番号１を入力する。次に入力部９２から、新（新しく使用する）ＰＯＳ端末番号を入力する（この入力はプルダウン操作で行う）。ＩＰアドレス１のＰＯＳ端末１の場合、ＰＯＳ端末番号６を入力する。
【００２８】
次に制御部１００は、受信したＩＰアドレスのＰＯＳ端末１がインライン状態であるかを判断する（ステップＳＰ２３）。これは、移動を要求するＰＯＳ端末１がインライン状態であるかを判断するものであり、インライン状態でないと以降の設定が不可であることから、インラインであるかが判断される。インライン状態であることが判断された場合（ステップＳＰ２３のＹｅｓ）、制御部１００は、次に旧ＰＯＳ端末番号と新ＰＯＳ端末番号の入力があったかを判断する（ステップＳＰ２４）。入力があった場合（ステップＳＰ２４のＹｅｓ）、次に制御部１００は、判断手段１０４を機能させ、入力された旧ＰＯＳ端末番号と新ＰＯＳ端末番号が設定されているかを判断する（ステップＳＰ２５）。この判断は、入力された旧ＰＯＳ端末番号と新ＰＯＳ端末番号が、ＲＡＭ２３のＰＯＳ端末番号記憶部４２に記憶されたＰＯＳ端末番号と一致しているかで判断する。そして、旧ＰＯＳ端末番号と新ＰＯＳ端末番号がＰＯＳ端末番号記憶部４２に設定されていると判断した場合（ステップＳＰ２５のＹｅｓ）、制御部１００は、指示手段１０３を機能させ、入力された旧ＰＯＳ端末番号と旧ＰＯＳ端末番号のオフの信号と、新ＰＯＳ端末番号と新ＰＯＳ端末番号のオンの信号を、移動要求情報を送信してきたＰＯＳ端末１に送信して、当該ＰＯＳ端末１にＰＯＳ端末番号の変更を指示する（ステップＳＰ２６）。この送信情報および指示に基づいてＰＯＳ端末１の制御部２００はステップＳＰ１３の判断を行う。なお、ＰＯＳ端末がインラインとなっていない場合（ステップＳＰ２３のＮｏ）と旧ＰＯＳ端末番号と新ＰＯＳ端末番号が入力されない場合（ステップＳＰ２４のＮｏ）は、それぞれエラーメッセージを表示器３３に表示して（ステップＳＰ３１）処理を終了する。また、ＰＯＳ端末１から移動要求情報を受信していない場合は（ステップＳＰ２１のＮｏ）、処理を終了する。
【００２９】
次に制御部１００は、ＰＯＳ端末１からＰＯＳ端末番号の設定完了の情報を受信したかを判断する（ステップＳＰ２７）。この判断は、制御部２００が実行するステップＳＰ１５の処理に基づいて判断される。ＰＯＳ端末番号の設定完了の情報を受信したと判断される場合（ステップＳＰ２７のＹｅｓ）、制御部１００は、グループ識別情報読み出し手段１０１を機能させ、新ＰＯＳ端末番号に対応するグループ番号を抽出する（ステップＳＰ２８）。そして制御部１００は、送信手段１０２を機能させ、このグループ番号に対応するパラメータを変更するパラメータとして読み出してＳＣ２に送信する（ステップＳＰ２９）。このステップＳＰ２８とステップＳＰ２９の処理は、図５、図６に基づいて実行される。例えば、ＩＰアドレス１のＰＯＳ端末１の場合、ＰＯＳ端末番号６が新たにオンに設定される。そして、図５から対応するグループ２を抽出し、図６からグループ２のパラメータが衣料パラメータであるので、制御部１００は、衣料パラメータを呼び出してステップＳＰ２９でＰＯＳ端末１に送信する。
【００３０】
次に制御部１００は、新ＰＯＳ端末番号に対応するグループ番号のパラメータがＰＯＳ端末１に設定完了したことを受信したかを判断する（ステップＳＰ３０）。この判断は、ＰＯＳ端末１の制御部２００が、パラメータ設定終了の信号送信（ステップＳＰ１８）をＳＣ２が受信したかでされる。制御部１００は、本情報を受信するまで待機し（ステップＳＰ３０のＮｏ）、受信したら（ステップＳＰ３０のＹｅｓ）処理を終了する。
【００３１】
このようなＳＣ２は、変更するＰＯＳ端末番号が表示器３３から入力され、このＰＯＳ端末番号から対応するグループ番号を特定し、特定されたグループ番号からパラメータを読み出すことができ、読み出したパラメータをＰＯＳ端末１に送信して、ＰＯＳ端末１はこのパラメータを自身に設定する。
【００３２】
このような本実施の形態の情報処理装置では、入力された変更する識別情報に対応した複数の情報を読み出して商品データ処理装置に送信するため、簡単な操作で移動先の情報を設定することができる。
【００３３】
また、本実施の形態の情報処理装置では、入力された変更する識別情報の変更の指示を商品データ処理装置に送信し、これに対応して変更された商品データ処理装置に対して複数の情報を読み出して商品データ処理装置に送信するため、簡単な操作で移動先の情報を設定することができる。
【００３４】
また、本実施の形態の情報処理装置では、表示部から簡単な入力操作で新識別情報を入力できる。
【００３５】
また、本実施の形態の情報処理装置では、予め識別情報が記憶されていることを確認して処理が実行できるため、識別情報の入力間違いを防止できる。
【００３６】
また、本実施の形態の情報処理装置では、グループ識別情報を付して売場に適した複数の情報を送信するため、グループ識別情報を特定するだけで簡単に売場に適した複数の情報を送信することができる。
【００３７】
なお、本実施の形態は、例として提示したものであり、発明の範囲を限定することは意図していない。この本実施の形態は、その他の様々な形態で実施されることが可能であり、発明の要旨を逸脱しない範囲で、種々の省略、置き換え、変更を行うことができる。この本実施の形態やその変形は、発明の範囲や要旨に含まれるとともに、特許請求の範囲に記載された発明とその均等の範囲に含まれる。
【００３８】
例えば本実施の形態では、食品売り場と衣料売り場での移動を例として説明したが、食品売り場と衣料売り場以外の売り場での移動であってもよい。
【００３９】
また、本実施の形態では、グループ番号を設けてこのグループ番号に対応したパラメータを読み出したが、ＰＯＳ端末番号から直接パラメータを読み出すようにしてもよい。
【００４０】
また、本実施の形態では、商品データ処理装置の一例としてＰＯＳ端末を使用したが、ＥＣＲであってもよい。
【００４１】
なお、本実施の形態の情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４２】
また、本実施の形態の情報処理装置で実行されるプログラムを、インターネット等のネットワークに接続されたコンピュータ上に格納し、ネットワーク経由でダウンロードさせることにより提供するように構成しても良い。また、本実施の形態の情報処理装置で実行されるプログラムをインターネット等のネットワーク経由で提供または配布するように構成しても良い。
【００４３】
また、本実施の形態の情報処理装置で実行されるプログラムを、ＲＯＭ等に予め組み込んで提供するように構成してもよい。
【符号の説明】
【００４４】
１００  制御部
１０１  グループ識別情報読み出し手段
１０２  送信手段
１０３  指示手段
１０４  判断手段
【先行技術文献】
【特許文献】
【００４５】
【特許文献１】特開２００２−３５９６２２号公報
【図１】
0005636403.tif 000002
【図２】
0005636403.tif 000003
【図３】
0005636403.tif 000004
【図４】
0005636403.tif 000005
【図５】
0005636403.tif 000006
【図６】
0005636403.tif 000007
【図７】
0005636403.tif 000008
【図８】
0005636403.tif 000009
【図９】
0005636403.tif 000010
【図１０】
0005636403.tif 000011